【事件の表示】
　特願２０１８−１６２２８８号「遊技機」拒絶査定不服審判事件〔平成３０年１１月２２日出願公開、特開２０１８−１８３６８７号〕について、次のとおり審決する。
【結　論】
　本件審判の請求は、成り立たない。
【理　由】
第１　手続の経緯
　本件に係る出願（以下「本願」という。）は、平成３０年８月３１日の出願であって、平成３１年４月５日付けで拒絶の理由が通知され、令和１年６月１１日に意見書及び手続補正書が提出されたところ、同年８月２２日付け（送達日：同年９月３日）で拒絶査定がなされ、それに対して、同年１１月１９日に拒絶査定不服審判の請求がなされると同時に手続補正がなされ、これに対し、当審において、令和２年６月２４日付けで拒絶の理由（以下、通知された拒絶の理由を「当審拒絶理由」という。）が通知され、同年８月４日に意見書及び手続補正書が提出されたものである。
第２　本願発明
　この出願の請求項１に係る発明（以下「本願発明」という。）は、令和２年８月４日提出の手続補正書により補正された特許請求の範囲の請求項１に記載された次のとおりのものである（なお、ＡないしＦについては、分説するため合議体が付した。）。
「Ａ　所定の表示を表示可能な表示手段および動作可能な特定の可動体を含む演出手段を用いて、所定の演出を実行可能な演出実行手段を備え、
Ｂ　前記演出実行手段は、
　前記特定の可動体が、特定の位置まで移動するときと、前記特定の位置まで移動しないときと、がある可動体演出を実行することがあり、
Ｃ　前記可動体演出において、前記特定の可動体の前記特定の位置への移動を煽る煽り演出を実行してから前記特定の可動体を前記特定の位置まで移動させるときと、前記煽り演出を実行してから前記特定の可動体を前記特定の位置まで移動させないときと、があり、
Ｄ　前記煽り演出には、前記特定の可動体が特殊の動作態様で動作する第１の煽り演出と、前記特定の可動体が前記特殊の動作態様で動作しないで前記特定の可動体を模した表示が前記表示手段に表示される第２の煽り演出と、があり、
Ｅ　前記第１の煽り演出が実行されたときと前記第２の煽り演出が実行されたときとで、前記特定の可動体が前記特定の位置まで移動する確率が互いに異なる、
Ｆ　ことを特徴とする遊技機。」
第３　当審拒絶理由の概要
　当審拒絶理由は、概略、次のとおりである。
（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
（進歩性）この出願の下記の請求項に係る発明は、その出願前に日本国内又は外国において頒布された又は電気通信回線を通じて公衆に利用可能となった下記の引用例に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
・請求項１
・引用文献等
　引用例１．特開２０１５−９１５１５号公報
第４　引用例１の記載及び引用発明
１　引用例１
　当審拒絶理由で引用例１として引用され、本願の出願前に頒布され又は電気通信回線を通じて公衆に利用可能となった特開２０１５−９１５１５号公報（平成２７年５月１４日公開）には、遊技機（発明の名称）に関し、次の事項が図とともに記載されている。なお、下線は合議体が付した。以下同じ。
（１）
「【発明を実施するための形態】
【実施例】
【００１８】
　以下、図面を参照しつつ、本発明の一実施形態を詳細に説明する。図１は、本実施の形態におけるパチンコ遊技機の正面図であり、主要部材の配置レイアウトを示す。
パチンコ遊技機
１
（２）
「【００４０】
　また、画像表示装置５と遊技盤２との間には、後述するシャッタモータ３６Ｈ、３６Ｌにより駆動されて上下方向に移動することにより、
画像表示装置５の前方を開閉可能と
（３）
「【００４７】
　第１特別図柄表示装置４Ａや第２特別図柄表示装置４Ｂによる
特図ゲーム
特別図柄の可変表示結果
（４）
「【０１１８】
　変動パターン種別決定用の乱数値ＭＲ３は、特別図柄や飾り図柄の可変表示における変動パターン種別を、予め用意された複数種類のいずれかに決定するために用いられる乱数値であり、例えば「１」〜「２５１」の範囲の値をとる。変動パターン決定用の乱数値ＭＲ４は、特別図柄や
飾り図柄の可変表示における変動パターン
か否かなどの決定を行うために用いられる。
【０１１９】
　図７は、この実施の形態における変動パターンを示している。この実施の形態では、可変表示結果が「ハズレ」となる場合のうち、飾り図柄の可変表示態様が「非リーチ」である場合と「リーチ」である場合のそれぞれに対応して、また、可変表示結果が「大当り」となる場合のうち、大当り種別が「非確変」又は「確変」である場合と「突確」である場合、さらには、可変表示結果が「小当り」となる場合などに対応して、複数の変動パターンが予め用意されている。なお、可変表示結果が「
ハズレ
当り
【０１２０】
　図７に示すように、この実施の形態では、非リーチ変動パターンとして、変動パターンＰＡ１−１〜変動パターンＰＡ１−５と、変動パターンＰＢ１−１及び変動パターンＰＢ１−２とが、予め用意されている。また、リーチ変動パターンとして、変動パターンＰＡ２−１、変動パターンＰＡ２−２、変動パターンＰＢ２−１、変動パターンＰＢ２−２、変動パターン
ＰＡ３−１
ＰＡ３−２
ＰＡ５−１
ＰＡ５−２
【０１２１】
　図８は、この実施の形態における変動パターン種別を示している。図７に示す各変動パターンは、図８に示す複数の変動パターン種別のうち、少なくとも１つの変動パターン種別に含まれている。すなわち、各変動パターン種別は、例えば飾り図柄の可変表示中に実行される演出動作などに基づいて分類（グループ化）された１つ又は複数の変動パターンを含むように構成されていればよい。一例として、複数の変動パターンをリーチ演出の種類（演出態様）で分類（グループ化）して、飾り図柄の可変表示状態がリーチ状態とならない変動パターンが含まれる変動パターン種別と、ノーマルリーチを伴う変動パターンが含まれる変動パターン種別と、スーパーリーチ（スーパーリーチα又はスーパーリーチβ）を伴う変動パターンが含まれる変動パターン種別とに分ければよい。他の一例として、複数の変動パターンを「擬似連」の可変表示演出の有無や擬似連変動（再変動）の実行回数で分類（グループ化）して、「擬似連」の可変表示演出を実行しない変動パターンが含まれる変動パターン種別と、「擬似連」の可変表示演出にて擬似連変動（再変動）の実行回数を１回とする変動パターンが含まれる変動パターン種別と、「擬似連」の可変表示演出にて擬似連変動（再変動）の実行回数を２回以上とする変動パターンが含まれる変動パターン種別とに分ければよい。さらに他の一例として、複数の変動パターンを「擬似連」や「滑り」などの可変表示演出の有無、あるいは、飾り図柄の可変表示時間などに応じて、分類（グループ化）してもよい。複数の変動パターン種別のうちには、共通の変動パターンを含んで構成されたものがあってもよい。」
（５）
「【０１８４】
　図３に示すように、
演出制御基板１２
プログラムに従って制御動作を行う演出制御用ＣＰＵ１２０と、演出制御用のプログラムや固定データ等を記憶するＲＯＭ１２１と
搭載され
（６）
「【０１８７】
　この実施の形態では、シャッタ３８Ｈ，３８Ｌのそれぞれに、シャッタモータ３６Ｈ，３６Ｌと、シャッタセンサ３７Ｈ，３７Ｌが設けられていることで、
画像表示装置５の上方側に設けられているシャッタ３８Ｈと、画像表示装置５の下方側に設けられているシャッタ３８Ｌ
（７）
「【０１９５】
　図３に示す演出制御基板１２に搭載されたＲＯＭ１２１には、演出制御用のプログラムの他にも、演出動作を制御するために用いられる各種のデータテーブルなどが格納されている。例えば、
ＲＯＭ１２１には、演出制御用ＣＰＵ１２０が各種の判定や決定、制御を行うために用意された複数の判定テーブルや決定テーブル、制御パターンテーブルを構成するテーブルデータが記憶されている。
【０１９６】
　図１６は、ＲＯＭ１２１に記憶される予告種別決定テーブルの構成例を示している。この実施の形態では、
予告種別決定テーブルとして、図１６（Ａ）に示す表示系予告種別決定テーブル１４０Ａ
が、予め用意されている。
【０１９７】
　
表示系予告種別決定テーブル１４０Ａでは、変動パターン指定コマンドにより指定された変動パターンに応じて、表示系予告なし、あるいは、キャラクタ表示ＣＡＹ１、ステップアップ表示ＣＡＹ２の表示系予告種別のいずれかに、表示系予告種別決定用の乱数値ＳＲ１−１と比較される数値（決定値）が割り当てられている。
（８）
「【０２０１】
　図１７及び図１８は、ＲＯＭ１２１に記憶される表示系予告パターン決定テーブルの構成例を示している。この実施の形態では、表示系予告パターン決定テーブルとして、図１７に示す表示系予告パターン決定テーブル１４１Ａと、図１８に示す表示系予告パターン決定テーブル１４１Ｂとが、予め用意されている。表示系予告パターン決定テーブル１４１Ａは、キャラクタ表示ＣＡＹ１の表示系予告種別に決定された場合に、表示系予告パターン決定用の乱数値ＳＲ２−１に基づいて、表示系予告パターンを複数種類のいずれかに決定するために参照されるテーブルである。
表示系予告パターン決定テーブル１４１Ｂは、ステップアップ表示ＣＡＹ２の表示系予告種別に決定された場合に、表示系予告パターン決定用の乱数値ＳＲ２−１に基づいて、表示系予告パターンを複数種類のいずれかに決定するために参照されるテーブルである。
・・・
【０２０４】
　
表示系予告パターン決定テーブル１４１Ｂでは、変動パターン指定コマンドにより指定された変動パターンに応じて、表示系予告パターンＹＡＰ２−１〜表示系予告パターンＹＡＰ２−９のいずれかに、表示系予告パターン決定用の乱数値ＳＲ２−１と比較される数値（決定値）が割り当てられている。
（９）
「【０２４７】
　
具体的にＲＯＭ１２１には、図２２（Ａ）に示す図柄変動制御パターンテーブル１４６とともに、図２２（Ｂ）に示すリーチ時シャッタ動作振分け決定テーブルが記憶されており、これらリーチ時シャッタ動作振分け決定テーブルと乱数値ＳＲ２−１とが比較されることにより、シャッタ３８Ｈ，３８Ｌを動作させる図柄変動制御パターン（末尾がＰ）とするか、シャッタ３８Ｈ，３８Ｌを動作させずにシャッタ画像を画像表示装置５に表示させる図柄変動制御パターン（末尾がＮ）とするかが決定される。
【０２４８】
　図２２（Ｂ）に示す設定例では、
ハズレとなる変動パターンであるＳＰＢ２−１、ＳＰＢ２−２、ＳＰＡ３−１、ＳＰＡ３−２においては、末尾がＮであるシャッタ画像を表示する図柄変動制御パターンに対して判定値数が多く割り当てられる一方、末尾がＰであるシャッタ３８Ｈ，３８Ｌが動作する図柄変動制御パターンに対して判定値数が少なく割り当てられ、当りとなる変動パターンであるＳＰＢ４−１、ＳＰＢ４−２、ＳＰＡ５−１、ＳＰＡ５−２においては、末尾がＮであるシャッタ画像を表示する図柄変動制御パターンに対して判定値数が少なく割り当てられる一方、末尾がＰであるシャッタ３８Ｈ，３８Ｌが動作する図柄変動制御パターンに対して判定値数が多く割り当てられていることで、ハズレとなる場合にはリーチ成立時に画像表示装置５にシャッタ画像が表示される場合が多く決定され、大当りとなる場合にはリーチ成立時にシャッタ３８Ｈ，３８Ｌが動作する場合が多く決定されることで、シャッタ３８Ｈ，３８Ｌが動作した場合には大当りとなる可能性が高く、シャッタ３８Ｈ，３８Ｌが動作しない場合（画像シャッタが表示される場合）には大当りとなる可能性が低いこととなる
（１０）
「【０２５１】
　尚、これら図２３に示す
表示系予告種別に対応した予告演出制御パターンには、シャッタ３８Ｈ，３８Ｌの動作制御を有するものと、シャッタ３８Ｈ，３８Ｌを動作させずにシャッタの画像を画像表示装置５に表示する表示制御を有するものとを含
（１１）
「【０２６２】
　図２５（Ｂ）は、演出制御パターンの内容に従って実行される各種の演出動作を示している。演出制御用ＣＰＵ１２０は、
演出制御パターンに含まれる各種の制御データに従って、演出動作の制御内容を決定
表示制御データにより指定される態様で飾り図柄を表示させるとともに、キャラクタ画像や背景画像といった演出画像を画像表示装置５の表示領域に表示させる制御を行
シャッタ制御データにより指定される態様でシャッタモータ３６Ｈ、３６Ｌを駆動してシャッタ３８Ｈ，３８Ｌを動作させる制御を行う
（１２）
「【０５４９】
　図６２は、本実施の形態の
表示系予告における３回の疑似連後にスーパーリーチとなる場合
保留記憶数表示エリア５Ｄの向かって最も左端に表示されている保留記憶表示が、スーパーリーチや大当りとなる可能性があることを示す星の表示態様とされている。
・・・
【０５５３】
　そして、
仮停止後に１回目の可変表示が再度開始されるときに
下側のシャッタ３８Ｌが画像表示装置５の下側半分の表示領域を覆うように上方へ移動した後、所定の格納位置に戻るように動作
高信頼度の予告演出パターンが決定された場合
・・・
【０５５７】
　この
２回目の再変動が開始される際には、
上側シャッタ３８Ｈが、画像表示装置５の上側半分の表示領域を一時的に覆うように下方へ移動した後、所定の格納位置に戻るように動作
ともに既に非表示とされているので、改めて保留記憶表示を非表示とする制御を実施していない。このように、保留記憶表示の非表示を飾り図柄の変動表示中において継続させるようにすることは、保留記憶表示を非表示とすることにより、第１保留記憶数表示エリア５Ｄ並びに第２保留記憶数表示エリア５Ｕの表示領域にも予告演出やリーチ演出の画像等を表示でき、演出効果を高められることから好ましいが、本発明はこれに限定されるものではなく、１回目の再変動時における下側シャッタ３８Ｌの動作が完了した段階で、再度、第１保留記憶数表示エリア５Ｄ並びに第２保留記憶数表示エリア５Ｕの保留記憶表示を表示状態としておき、２回目の再変動時における上側シャッタ３８Ｈの動作に際して、再度、第１保留記憶数表示エリア５Ｄ並びに第２保留記憶数表示エリア５Ｕの保留記憶表示を非表示とするようにしても良い。つまり、シャッタ３８Ｈ，３８Ｌが動作している期間のみにおいて、１保留記憶数表示エリア５Ｄ並びに第２保留記憶数表示エリア５Ｕの保留記憶表示を非表示とするようにしても良い。
・・・
【０５５９】
　この
３回目の再変動が開始される際には、
上側シャッタ３８Ｈと下側シャッタ３８Ｌとが共に動作して、画像表示装置５の全表示領域を一時的に覆うように動作
・・・
【０５６２】
　
スーパーリーチの演出においては、
３回目の再変動の開始時と同様に、上側シャッタ３８Ｈと下側シャッタ３８Ｌとが共に動作して、画像表示装置５の全表示領域を一時的に覆うように動作
（１３）
「【０５６６】
　一方、予告演出の予告パターンとして
低信頼度の予告パターンが決定された場合には、
疑似連における飾り図柄の１回目の再変動時において上側シャッタの移動画像が表示され、２回目の再変動時において下側シャッタの移動画像が表示され、３回目の再変動時において上側シャッタと下側シャッタの移動画像が表示され、実物のシャッタ３８Ｈ，３８Ｌは動作され
（１４）
「【図７】
」
（１５）
「【図１８】
」
（１６）
「【図２２】
」
（１７）
「【図２３】
」
（１８）
「【図５７】
」
（１９）　認定事項
（ア）引用例１の【０１１９】〜【０１２１】の記載も合わせてみると、図７には、変動パターンとして、
疑似連変動（３回）→スーパーリーチα（ハズレ）のＰＡ３−１、疑似連変動（３回）→スーパーリーチβ（ハズレ）のＰＡ３−２
疑似連変動（３回）→スーパーリーチα（当り）のＰＡ５−１、疑似連変動（３回）→スーパーリーチβ（当り）のＰＡ５−２
（イ）引用例１の【０１９５】には、
「ＲＯＭ１２１には、演出制御用ＣＰＵ１２０が各種の判定や決定、制御を行うために用意された複数の判定テーブルや決定テーブル、制御パターンテーブルを構成するテーブルデータが記憶されている。」と記載され、
　【０１９６】には、「予告種別決定テーブルとして、図１６（Ａ）に示す表示系予告種別決定テーブル１４０Ａ・・・が、予め用意されている。」と記載され、
　【０１９７】には、「表示系予告種別決定テーブル１４０Ａでは、変動パターン指定コマンドにより指定された変動パターンに応じて、表示系予告なし、あるいは、キャラクタ表示ＣＡＹ１、ステップアップ表示ＣＡＹ２の表示系予告種別のいずれかに、表示系予告種別決定用の乱数値ＳＲ１−１と比較される数値（決定値）が割り当てられている。」と記載され、
　【０２０１】には、「表示系予告パターン決定テーブル１４１Ｂは、ステップアップ表示ＣＡＹ２の表示系予告種別に決定された場合に、表示系予告パターン決定用の乱数値ＳＲ２−１に基づいて、表示系予告パターンを複数種類のいずれかに決定するために参照されるテーブルである。」と記載され、
　【０２０４】には、「表示系予告パターン決定テーブル１４１Ｂでは、変動パターン指定コマンドにより指定された変動パターンに応じて、表示系予告パターンＹＡＰ２−１〜表示系予告パターンＹＡＰ２−９のいずれかに、表示系予告パターン決定用の乱数値ＳＲ２−１と比較される数値（決定値）が割り当てられている。」と記載され、
　図１８には、表示系予告パターン決定テーブル１４１Ｂにおいて、変動パターンがＰＡ３−１またはＰＡ３−２のときに、ＳＲ２−１の決定値が１〜５４５であるときには、ＹＡＰ２−８が選択され、同決定値が５４６〜６４３であるときには、表示系予告パターンＹＡＰ２−９が選択されること及び変動パターンがＰＡ５−１またはＰＡ５−２のときに、ＳＲ２−１の決定値が１〜９５であるときには、ＹＡＰ２−８が選択され、同決定値が９６〜６４３であるときには、表示系予告パターンＹＡＰ２−９が選択されることが図示され、
　図２３には、表示系予告パターンＹＡＰ２−８は、疑似連変動３回低信頼度のパターンであり、ＹＡＰ２−９は、疑似連変動３回高信頼度のパターンであることが図示されることから、
　引用例１には、演出制御用ＣＰＵ１２０によって表示系予告種別決定テーブル１４０Ａからステップアップ表示ＣＡＹ２が決定されると、表示系予告パターン決定テーブル１４１Ｂにおいて、変動パターンがＰＡ３−１またはＰＡ３−２のときに、
表示系予告パターン決定用の乱数値ＳＲ２−１の決定値が１〜５４５であるときには、疑似連３回低信頼度の表示系予告パターンであるＹＡＰ２−８が選択され、同決定値が５４６〜６４３であるときには、疑似連３回高信頼度の表示系予告パターンである表示系予告パターンＹＡＰ２−９が選択され、
表示系予告パターン決定用の乱数値ＳＲ２−１の決定値が１〜９５であるときには、疑似連３回低信頼度の表示系予告パターンであるＹＡＰ２−８が選択され、同決定値が９６〜６４３であるときには、疑似連３回高信頼度の表示系予告パターンである表示系予告パターンＹＡＰ２−９が選択され
（ウ）引用例１の【０２４７】には、「具体的にＲＯＭ１２１には、図２２（Ａ）に示す図柄変動制御パターンテーブル１４６とともに、図２２（Ｂ）に示すリーチ時シャッタ動作振分け決定テーブルが記憶されており、これらリーチ時シャッタ動作振分け決定テーブルと乱数値ＳＲ２−１とが比較されることにより、シャッタ３８Ｈ，３８Ｌを動作させる図柄変動制御パターン（末尾がＰ）とするか、シャッタ３８Ｈ，３８Ｌを動作させずにシャッタ画像を画像表示装置５に表示させる図柄変動制御パターン（末尾がＮ）とするかが決定される。」と記載され、
　図２２（Ａ）には、図柄変動制御パターンテーブル１４６において、変動パターンがＰＡ３−１のときに、ＳＰＡ３−１ＮまたはＳＰＡ３−１Ｐが選択され、同ＰＡ３−２、ＰＡ５−１、ＰＡ５−２のときに、それぞれＳＰＡ３−２ＮまたはＳＰＡ３−２Ｐ、ＳＰＡ５−１ＮまたはＳＰＡ５−１Ｐ、ＳＰＡ５−２ＮまたはＳＰＡ５−２Ｐが選択されることが図示され、
　上記図２２（Ａ）の図示内容を考慮すると、図２２（Ｂ）には、リーチ時シャッタ動作振分けテーブル１４７において、変動パターンがＰＡ３−１またはＰＡ３−２のときに、ＳＲ２−１の決定値が１〜５５０であるときには、ＳＰＡ３−１Ｎが選択され、同決定値が５５１〜６４３であるときには、ＳＰＡ３−１Ｐが選択され、変動パターンがＰＡ５−１またはＰＡ５−２のときに、ＳＲ２−１の決定値が１〜２０であるときには、ＳＰＡ５−１Ｎが選択され、同決定値が２１〜６４３であるときには、ＳＰＡ５−１Ｐが選択されることが図示されることから、
　引用例１には、
変動パターンがＰＡ３−１またはＰＡ３−２のときには、リーチ時シャッタ動作振分け決定テーブルにおいて乱数値ＳＲ２−１の決定値が１〜５５０のときには、リーチ成立時にシャッタ３８Ｈ，３８Ｌを動作させずにシャッタ画像を画像表示装置５に表示させる図柄変動制御パターンであるＳＰＡ３−１ＮまたはＳＰＡ３−２Ｎが選択され、同決定値が５５１〜６４３のときには、シャッタ３８Ｈ，３８Ｌを動作させる図柄変動制御パターンであるＳＰＡ３−１ＰまたはＳＰＡ３−２Ｐが選択され、変動パターンがＰＡ５−１またはＰＡ５−２のときには、リーチ時シャッタ動作振分け決定テーブルにおいて乱数値ＳＲ２−１の決定値が１〜２０のときには、リーチ成立時にシャッタ３８Ｈ，３８Ｌを動作させずにシャッタ画像を画像表示装置５に表示させる図柄変動制御パターンであるＳＰＡ５−１ＮまたはＳＰＡ５−２Ｎが選択され、同決定値が２０〜６４３のときには、シャッタ３８Ｈ，３８Ｌを動作させる図柄変動制御パターンであるＳＰＡ５−１ＰまたはＳＰＡ５−２Ｐが選択され
（２０）上記（１）ないし（１８）の記載事項、および、（１９）の認定事項からみて、引用例１には、次の発明が記載されている。なお、ａないしｆについては本願発明のＡないしＦに概ね対応させて付与し、引用箇所の段落番号等を併記した。
「ａ　演出制御パターンに含まれる各種の制御データに従って、演出動作の制御内容を決定し、表示制御データにより指定される態様で飾り図柄を表示させたり、シャッタ画像を画像表示装置５の表示領域に表示させたりする制御を行い、シャッタ制御データにより指定される態様でシャッタ３８Ｈ，３８Ｌを動作させる制御を行う、プログラムに従って制御動作を行う演出制御用ＣＰＵ１２０と、演出制御用のプログラムや固定データ等を記憶するＲＯＭ１２１を搭載する演出制御基板１２と（【０１８４】、【０２４７】、【０２６２】）、画像表示装置５の上方側に設けられているシャッタ３８Ｈと、画像表示装置５の下方側に設けられているシャッタ３８Ｌからなり（【０１８７】）、画像表示装置５の前方を開閉可能とされたシャッタ３８Ｈ，３８Ｌと（【００４０】）、を備え、
ｂ〜ｄ　飾り図柄の可変表示における変動パターン（【０１１８】）が、疑似連変動（３回）→スーパーリーチα（ハズレ）のＰＡ３−１または疑似連変動（３回）→スーパーリーチβ（ハズレ）のＰＡ３−２である場合に（認定事項１）、演出制御用ＣＰＵ１２０によって表示系予告種別決定テーブル１４０Ａからステップアップ表示ＣＡＹ２が決定されると（【０１９５】〜【０１９７】）、表示系予告パターン決定用の乱数値ＳＲ２−１の決定値が１〜５４５であるときには、疑似連３回低信頼度の表示系予告パターンであるＹＡＰ２−８が選択され、同決定値が５４６〜６４３であるときには、疑似連３回高信頼度の表示系予告パターンである表示系予告パターンＹＡＰ２−９が選択され（認定事項２）、
　表示系予告種別に対応した予告演出制御パターンには、シャッタ３８Ｈ，３８Ｌの動作制御を有するものと、シャッタ３８Ｈ，３８Ｌを動作させずにシャッタの画像を画像表示装置５に表示する表示制御を有するものとを含み（【０２５１】、図２３）、
　表示系予告における３回の疑似連後にスーパーリーチとなり、高信頼度の表示系予告演出パターンが決定された場合、仮停止後に１回目の可変表示が再度開始されるときに、下側のシャッタ３８Ｌが画像表示装置５の下側半分の表示領域を覆うように上方へ移動した後、所定の格納位置に戻るように動作し、２回目の再変動が開始される際には、上側シャッタ３８Ｈが、画像表示装置５の上側半分の表示領域を一時的に覆うように下方へ移動した後、所定の格納位置に戻るように動作し、３回目の再変動が開始される際には、上側シャッタ３８Ｈと下側シャッタ３８Ｌとが共に動作して、画像表示装置５の全表示領域を一時的に覆うように動作し、スーパーリーチの演出においては、３回目の再変動の開始時と同様に、上側シャッタ３８Ｈと下側シャッタ３８Ｌとが共に動作して、画像表示装置５の全表示領域を一時的に覆うように動作し（【０５５３】、【０５５７】、【０５５９】、【０５６２】）、
　低信頼度の表示系予告パターンが決定された場合には、疑似連における飾り図柄の１回目の再変動時において上側シャッタの移動画像が表示され、２回目の再変動時において下側シャッタの移動画像が表示され、３回目の再変動時において上側シャッタと下側シャッタの移動画像が表示され、実物のシャッタ３８Ｈ，３８Ｌは動作されず（【０５６６】、図５７）、
　変動パターンがＰＡ３−１またはＰＡ３−２のときには、リーチ時シャッタ動作振分け決定テーブルにおいて、乱数値ＳＲ２−１の決定値が１〜５５０のときには、リーチ成立時にシャッタ３８Ｈ，３８Ｌを動作させずにシャッタ画像を画像表示装置５に表示させる図柄変動制御パターンであるＳＰＡ３−１ＮまたはＳＰＡ３−２Ｎが選択され、同決定値が５５１〜６４３のときには、シャッタ３８Ｈ，３８Ｌを動作させる図柄変動制御パターンであるＳＰＡ３−１ＰまたはＳＰＡ３−２Ｐが選択され（認定事項３）、
　変動パターン（【０１１８】）が、疑似連変動（３回）→スーパーリーチα（当り）のＰＡ５−１または疑似連変動（３回）→スーパーリーチβ（当り）のＰＡ５−２である場合に（認定事項１）、演出制御用ＣＰＵ１２０によって表示系予告種別決定テーブル１４０Ａからステップアップ表示ＣＡＹ２が決定されると（【０１９５】〜【０１９７】）、表示系予告パターン決定用の乱数値ＳＲ２−１の決定値が１〜９５であるときには、疑似連３回低信頼度の表示系予告パターンであるＹＡＰ２−８が選択され、同決定値が９６〜６４３であるときには、疑似連３回高信頼度の表示系予告パターンである表示系予告パターンＹＡＰ２−９が選択され、（認定事項２）
　変動パターンがＰＡ５−１またはＰＡ５−２のときには、リーチ時シャッタ動作振分け決定テーブルにおいて、乱数値ＳＲ２−１の決定値が１〜２０のときには、リーチ成立時にシャッタ３８Ｈ，３８Ｌを動作させずにシャッタ画像を画像表示装置５に表示させる図柄変動制御パターンであるＳＰＡ５−１ＮまたはＳＰＡ５−２Ｎが選択され、同決定値が２０〜６４３のときには、シャッタ３８Ｈ，３８Ｌを動作させる図柄変動制御パターンであるＳＰＡ５−１ＰまたはＳＰＡ５−２Ｐが選択され（認定事項３）、
ｅ　特図ゲームにおける特別図柄の可変表示結果（【００４７】）がハズレとなる変動パターンであるＳＰＡ３−１、ＳＰＡ３−２においては、末尾がＮであるシャッタ画像を表示する図柄変動制御パターンに対して判定値数が多く割り当てられる一方、末尾がＰであるシャッタ３８Ｈ，３８Ｌが動作する図柄変動制御パターンに対して判定値数が少なく割り当てられ、当りとなる図柄制御変動パターンであるＳＰＡ５−１、ＳＰＡ５−２においては、末尾がＮであるシャッタ画像を表示する図柄変動制御パターンに対して判定値数が少なく割り当てられる一方、末尾がＰであるシャッタ３８Ｈ，３８Ｌが動作する図柄変動制御パターンに対して判定値数が多く割り当てられていることで、ハズレとなる場合にはリーチ成立時に画像表示装置５にシャッタ画像が表示される場合が多く決定され、大当りとなる場合にはリーチ成立時にシャッタ３８Ｈ，３８Ｌが動作する場合が多く決定されることで、シャッタ３８Ｈ，３８Ｌが動作した場合には大当りとなる可能性が高く、シャッタ３８Ｈ，３８Ｌが動作しない場合（画像シャッタが表示される場合）には大当りとなる可能性が低いこととなる（【０２４８】）、
ｆ　パチンコ遊技機１（【００１８】）。」（以下「引用発明」という。）
第５　対比
　本願発明と引用発明を対比する（見出し（ａ）ないし（ｆ）は、本願発明の特定事項ＡないしＦに対応する。）。
（ａ）引用発明の構成ａの「シャッタ画像を」「表示させる」「画像表示装置５」、「指定される態様で」「動作させる」「シャッタ３８Ｈ，３８Ｌ」のいずれかのシャッタ及びこれらの「制御動作を行う」「演出制御用ＣＰＵ１２０」を有する「演出制御基板１２」が、それぞれ本願発明の構成Ａの「所定の表示を表示可能な表示手段」、「動作可能な特定の可動体」及び「演出実行手段」に相当する。
　したがって、引用発明の構成ａは、本願発明の構成Ａに相当する。
（ｂ）引用発明の構成ｂ〜ｄにおいて、「上側シャッタ３８Ｈと下側シャッタ３８Ｌとが共に動作して、画像表示装置５の全表示領域を一時的に覆うように動作」することは、上記（ａ）の説示内容も踏まえると、本願発明の構成Ｂの「前記特定の可動体が、特定の位置まで移動するとき」に相当する。
　そして、同構成ｂ〜ｄにおいて、上記「上側シャッタ３８Ｈと下側シャッタ３８Ｌとが共に動作して、画像表示装置５の全表示領域を一時的に覆うように動作」することは、「スーパーリーチの演出」においても、「３回目の再変動の開始時と同様に」行われていることから、「リーチの演出」時にも、「上側シャッタ３８Ｈと下側シャッタ３８Ｌとが共に動作して、画像表示装置５の全表示領域を一時的に覆うように動作」する演出が行われているといえる。
　また、同構成ｂ〜ｄにおける、「シャッタ３８Ｈ，３８Ｌが動作しない場合」で「リーチ成立時に画像表示装置５にシャッタ画像が表示される場合」は、同構成Ｂの「前記特定の可動体が」「前記特定の位置まで移動しないとき」に相当する。
　してみると、同構成ｂ〜ｄの「リーチの演出」時、「上側シャッタ３８Ｈと下側シャッタ３８Ｌとが共に動作して、画像表示装置５の全表示領域を一時的に覆うように動作」するか、「シャッタ３８Ｈ，３８Ｌが動作しない」で、「画像シャッタが表示される」かのどちらかが実行される演出が、同構成Ｂの「前記特定の可動体が、特定の位置まで移動するときと、前記特定の位置まで移動しないときと、がある可動体演出」に相当する。
　したがって、引用発明の構成ｂ〜ｄは、本願発明の構成Ｂに相当する構成を備える。
（ｃ、ｄ）
（ア）引用発明の構成ｂ〜ｄにおいて、「疑似連変動（３回）→スーパーリーチα」または「疑似連変動（３回）→スーパーリーチβ」は、リーチの前に疑似連変動が行われることを示すと認められるから、引用発明において、疑似連演出は、リーチ成立時の演出の前に行われると認められる。
（イ）同構成ｂ〜ｄの「１回目の可変表示が再度開始されるときに、下側のシャッタ３８Ｌが画像表示装置５の下側半分の表示領域を覆うように上方へ移動した後、所定の格納位置に戻るように動作し、２回目の再変動が開始される際には、上側シャッタ３８Ｈが、画像表示装置５の上側半分の表示領域を一時的に覆うように下方へ移動した後、所定の格納位置に戻るように動作し、３回目の再変動が開始される際には、上側シャッタ３８Ｈと下側シャッタ３８Ｌとが共に動作して、画像表示装置５の全表示領域を一時的に覆うように動作」する「高信頼度の表示系予告パターン」の演出は、本願発明の構成Ｄの「前記特定の可動体が特殊の動作態様で動作させる第１の」「演出」に相当するとともに、同構成ｂ〜ｄにおける「上側シャッタの移動画像」及び「下側シャッタの移動画像」は、「動作」する「上側シャッタ３８Ｈ」及び「下側シャッタ３８Ｌ」を模した画像であると認められるから、同構成ｂ〜ｄの「疑似連における飾り図柄の１回目の再変動時において」「画像表示装置５に」「上側シャッタの移動画像が表示され、２回目の再変動時において下側シャッタの移動画像が表示され、３回目の再変動時において上側シャッタと下側シャッタの移動画像が表示され、実物のシャッタ３８Ｈ，３８Ｌは動作され」ない「低信頼度の表示系予告パターン」の演出は、同構成Ｄの「前記特定の可動体が特殊の動作態様で動作しないで前記特定の可動体を模した表示が前記表示手段に表示される第２の」「演出」に相当する。
（ウ）上記（ｂ）の説示内容を踏まえると、同構成ｂ〜ｄの「リーチ成立時に」「シャッタ３８Ｈ，３８Ｌを動作させる図柄変動制御パターン」である「ＳＰＡ３−１Ｐ」、「ＳＰＡ３−２Ｐ」、「ＳＰＡ５−１Ｐ」及び「ＳＰＡ５−１Ｐ」が、本願発明の構成Ｃの「前記特定の可動体を前記特定の位置まで移動させる」「可動体演出」に相当し、同構成ｂ〜ｄの「リーチ成立時にシャッタ３８Ｈ，３８Ｌを動作させずにシャッタ画像を画像表示装置５に表示させる図柄変動制御パターン」である「ＳＰＡ３−１Ｎ」、「ＳＰＡ３−２Ｎ」、「ＳＰＡ５−１Ｎ」及び「ＳＰＡ５−２Ｎ」が、同構成Ｃの「前記特定の可動体を前記特定の位置まで移動させない」「可動体演出」に相当するとともに、上記（ア）より、リーチ成立時に実行される上記各種図柄変動制御パターンは、疑似連時に実行される上記表示系予告パターンを実行してから実行されると認められる。
（エ）引用発明の構成ｂ〜ｄにおいて、「低信頼度の」「表示系予告パターン」である「ＹＡＰ２−８」（本願発明の「第２の」「演出」に相当。）または「高信頼度の」「表示系予告パターン」である「ＹＡＰ２−９」（本願発明の「第１の」「演出」に相当。）と、「図柄変動制御パターン」の「ＳＰＡ３−１Ｎ」、「ＳＰＡ３−２Ｎ」、「ＳＰＡ５−１Ｎ」、「ＳＰＡ５−２Ｎ」、「ＳＰＡ３−１Ｐ」、「ＳＰＡ３−２Ｐ」、「ＳＰＡ５−１Ｐ」及び「ＳＰＡ５−１Ｐ」は、共に「乱数値ＳＲ２−１の決定値」に基づいて選択されるところ、飾り図柄の可変表示における変動パターンがハズレ時のＰＡ３−１又はＰＡ３−２、若しくは、当り時のＰＡ５−１又はＰＡ５−２であり、表示系予告種別決定テーブル１４０ＡでＣＡＹ２が選択されたときに、乱数値ＳＲ２−１の決定値よりそれぞれ選択される「表示系予告パターン」及び「図柄変動制御パターン」をまとめると、以下のようになる。
ハズレ時
当り時
（オ）上記（エ）における、「表示系予告パターン」演出の実行後、リーチ時にシャッタを動作させるパターン２、３、６は、本願発明の構成Ｃの「煽り演出を実行してから前記特定の可動体を前記特定の位置まで移動させるとき」と、「演出（以下、「可動体演出」と区別するため、当該演出を、以下、「演出Ａ」という。）を実行してから前記特定の可動体を前記特定の位置まで移動させるとき」である点で共通し、「表示系予告パターン」演出の実行後、リーチ時にシャッタを動作させないパターン１、４、５が、本願発明の構成Ｃの「煽り演出を実行してから前記特定の可動体を前記特定の位置まで移動させないとき」と、「演出Ａを実行してから前記特定の可動体を前記特定の位置まで移動させないとき」である点で共通するといえる。
　したがって、引用発明の構成ｂ〜ｄは、本願発明の構成Ｃと、「前記可動体演出において、演出Ａを実行してから前記特定の可動体を前記特定の位置まで移動させるときと、前記演出Ａを実行してから前記特定の可動体を前記特定の位置まで移動させないときと、があ」る点で共通するとともに、本願発明の構成Ｄと、「前記演出Ａには、前記特定の可動体が特殊の動作態様で動作する第１の演出Ａと、前記特定の可動体が前記特殊の動作態様で動作しないで前記特定の可動体を模した表示が前記表示手段に表示される第２の演出Ａと、があ」る点で共通する。
（ｅ）上記（ｂ）及び（ｃ、ｄ）で説示のとおり、引用発明の構成ｂ〜ｄにおいて、「高信頼度の表示系予告パターン」（本願発明の「第１の」「演出」に相当。）が実行されると、「大当りとなる可能性が高」く、かつリーチ成立時に「上側シャッタ３８Ｈと下側シャッタ３８Ｌとが共に動作して、画像表示装置５の全表示領域を一時的に覆うように動作」する（本願発明の「特定の可動体が前記特定の位置まで移動する」に相当。）場合が多く決定され」るのに対して、「低信頼度の表示系予告パターン」（本願発明の「第２の」「演出」に相当。）が実行されると、「大当りとなる可能性が低」く、かつ「シャッタ３８Ｈ，３８Ｌが動作しない」「リーチ成立時に画像表示装置５にシャッタ画像が表示される場合が多く決定され」るのであるから、引用発明の構成ｂ〜ｄにおいて、「高信頼度の予告パターン」が実行されると、「低信頼度の予告パターン」が実行されたときと比較して、「上側シャッタ３８Ｈと下側シャッタ３８Ｌとが共に動作して、画像表示装置５の全表示領域を一時的に覆うように動作」する確率が高いといえる。
　したがって、引用発明の構成ｂ〜ｄは、本願発明の構成Ｅと、「前記第１の演出Ａが実行されたときと前記第２の演出Ａが実行されたときとで、前記特定の可動体が前記特定の位置まで移動する確率が互いに異なる」点で共通する。
（ｆ）引用発明の構成ｆの「パチンコ遊技機１」は、本願発明の構成Ｆの「遊技機」に相当する。
　したがって、引用発明の構成ｆは、本願発明の構成Ｆに相当する構成を備える。
　そうすると、本願発明と引用発明とは、
「Ａ　所定の表示を表示可能な表示手段および動作可能な特定の可動体を含む演出手段を用いて、所定の演出を実行可能な演出実行手段を備え、
Ｂ　前記演出実行手段は、
　前記特定の可動体が、特定の位置まで移動するときと、前記特定の位置まで移動しないときと、がある可動体演出を実行することがあり、
Ｃ　前記可動体演出において、演出Ａを実行してから前記特定の可動体を前記特定の位置まで移動させるときと、前記演出Ａを実行してから前記特定の可動体を前記特定の位置まで移動させないときと、があり、
Ｄ　前記演出Ａには、前記特定の可動体が特殊の動作態様で動作する第１の演出Ａと、前記特定の可動体が前記特殊の動作態様で動作しないで前記特定の可動体を模した表示が前記表示手段に表示される第２の演出Ａと、があり、
Ｅ　前記第１の演出Ａが実行されたときと前記第２の演出Ａが実行されたときとで、前記特定の可動体が前記特定の位置まで移動する確率が互いに異なる、
Ｆ　遊技機。」
である点で一致し、以下の点で相違する。
・相違点（特定事項Ｃ〜Ｅ）
　「演出Ａ」が、本願発明は、「前記特定の可動体の前記特定の位置への移動を煽る煽り演出」であるのに対して、引用発明は、「１回目の可変表示が再度開始される」ときに、「下側のシャッタ３８Ｌが画像表示装置５の下側半分の表示領域を覆うように上方へ移動した後、所定の格納位置に戻るように動作」し、「２回目の再変動が開始される際」には、「上側シャッタ３８Ｈが、画像表示装置５の上側半分の表示領域を一時的に覆うように下方へ移動した後、所定の格納位置に戻るように動作」し、「３回目の再変動が開始される際」には、「上側シャッタ３８Ｈと下側シャッタ３８Ｌとが共に動作して、画像表示装置５の全表示領域を一時的に覆うように動作」される「高信頼度の表示系予告パターン」と、「疑似連における飾り図柄の１回目の再変動時において上側シャッタの移動画像が表示され、２回目の再変動時において下側シャッタの移動画像が表示され、３回目の再変動時において上側シャッタと下側シャッタの移動画像が表示され、実物のシャッタ３８Ｈ，３８Ｌは動作され」ない「低信頼度の表示系予告パターン」のいずれかが実行される演出であるが、これらの演出が、リーチ時に「上側シャッタ３８Ｈと下側シャッタ３８Ｌとが共に動作して、画像表示装置５の全表示領域を一時的に覆うように動作」することを煽る「煽り演出」であるか否かが不明である点。
第６　判断
１　相違点について
（ア）本願発明の「前記特定の可動体の前記特定の位置への移動を煽る煽り演出」について、本願の発明の詳細な説明には、明細書の【０２４７】に、「図３１（Ａ）に示すように、待機状態の位置にある盤下可動体５６ｋの上方の表示部５０ａに、盤下可動体５６ｋを模した盤下可動体画像Ｇ１０が点滅表示される。この盤下可動体画像Ｇ１０の表示によって、盤下可動体５６ｋが表示部５０ａ上に出現する可能性があることが示唆される。つまり、盤下可動体画像Ｇ１０の表示は、盤下可動体５６ｋの出現を煽る演出として機能する。」と記載され、【０２５２】に、「図３２（Ａ）に示すように、盤下可動体５６ｋが上下に揺れる揺れ動作が行われる。この盤下可動体５６ｋの揺れ動作によって、盤下可動体５６ｋが表示部５０ａ上に出現する可能性があることが示唆される。つまり、盤下可動体５６ｋの揺れ動作は、盤下可動体５６ｋの出現を煽る演出として機能する。」と記載されるように、「煽り演出」とは、盤下可動体５６ｋのような特定の可動体を模した画像を表示部に表示させたり、特定の可動体の揺れ動作を実行することで、特定の可動体が、表示部５０ａ上に出現する可能性があることを示唆する演出を示すと解される。
（イ）一方、引用発明の「高信頼度の表示系予告パターン」又は「低信頼度の表示系予告パターン」は、これらが実行されると、乱数値ＳＲ２−１の決定値に基づいてあらかじめ定められた特定の確率で、リーチ成立時にシャッタ３８Ｈ，３８Ｌを動作させる図柄変動制御パターンである、ＳＰＡ３−１Ｐ、ＳＰＡ３−２Ｐ、ＳＰＡ５−１ＰまたはＳＰＡ５−２Ｐを実行するものであり、「高信頼度の表示系予告パターン」又は「低信頼度の表示系予告パターン」の実行と、その後のリーチ時に「上側シャッタ３８Ｈと下側シャッタ３８Ｌとが共に動作して、画像表示装置５の全表示領域を一時的に覆うように動作」させる図柄変動制御パターンの間には、相関があるといえる。
（ウ）上記（イ）より、上記「高信頼度の表示系予告パターン」又は「低信頼度の表示系予告パターン」の実行と、その後のリーチ成立時にシャッタ３８Ｈ，３８Ｌを動作させる図柄変動制御パターンの間には相関があり、「高信頼度の表示系予告パターン」又は「低信頼度の表示系予告パターン」の演出に接した遊技者は、それぞれの表示系予告パターンに応じた発生確率で、後のリーチ成立時に、大当りとなる可能性が高いシャッタ３８Ｈ，３８Ｌを動作させる図柄変動制御パターンの発生を期待することができるといえることから、引用発明における「高信頼度の表示系予告パターン」又は「低信頼度の表示系予告パターン」は、その発生後にシャッタ３８Ｈ，３８Ｌが動作する可能性を示唆している演出、すなわち、シャッタ３８Ｈ，３８Ｌが動作することを煽る煽り演出であるといえる。
（エ）そうすると、上記相違点は実質的な相違点ではなく、本願発明は、引用発明である。
２　請求人の主張について
　請求人は、令和２年８月４日提出の意見書において、引用発明は、「疑似連における飾り図柄の再変動時のシャッタ３８Ｈ，３８Ｌの動作およびシャッタ画像の移動は、単独の演出であり、リーチ成立時のシャッタ３８Ｈ，３８Ｌの動作を煽る演出ではありません。」と主張する。
　しかし、上記「１　相違点について」（イ）、（ウ）で説示のとおり、「高信頼度の表示系予告パターン」又は「低信頼度の表示系予告パターン」（疑似連における飾り図柄の再変動時のシャッタ３８Ｈ，３８Ｌの動作およびシャッタ画像の移動の演出パターン）と、リーチ成立時にシャッタ３８Ｈ，３８Ｌを動作させる図柄変動制御パターンの間には相関があり、「高信頼度の表示系予告パターン」又は「低信頼度の表示系予告パターン」は、シャッタ３８Ｈ，３８Ｌが動作することを煽る煽り演出であるといえるから、上記主張は採用できない。
第７　むすび
　以上のとおり、本願発明は、引用発明であるから、特許法第２９条第１項第３号に該当し、特許を受けることができない。
　したがって、本願は、拒絶されるべきものである。
　よって、結論のとおり審決する。